(57)【要約】【課題】簡易な構成で着脱が容易であり、下半身が人目に触れるのを極力避けることができ、しかも診察等の処置を円滑に行わせることができる受診用スカートを提供する。【解決手段】下半身を裸にして着用する受診用スカート１であって、腹部側を覆う前布２と、臀部側を覆う後布３と、下半身の両側をそれぞれ覆う一対の横布４Ａ，４Ｂと、から構成されるスカート本体１０を備える。前布２と後布３と一対の横布４Ａ，４Ｂとは、前布２及び後布３の両端側が、一対の横布４Ａ，４Ｂの両端側の外側に重ね合された状態で、ウエスト部５にて連結され、ウエスト部５以外では、互いに分離した構成である。ウエスト部５は、ゴム紐１２によって拡縮自在としたウエスト開口部を６有している。【選択図】図１
2019023364.tif 000002
【特許請求の範囲】
【請求項１】
下半身を裸にして着用する受診用スカートであって、
腹部側を覆う前布と、
臀部側を覆う後布と、
前記下半身の両側をそれぞれ覆う一対の横布と、から構成されるスカート本体を備え、
前記前布と前記後布と前記一対の横布とは、前記前布及び前記後布の両端側が、前記一対の横布の両端側の外側に重ね合された状態で、ウエスト部にて連結され、前記ウエスト部以外では、互いに分離した構成であり、
前記ウエスト部は、紐状体によって拡縮自在としたウエスト開口部を有していることを特徴とする受診用スカート。
【請求項２】
前記スカート本体は、前後左右が対称であることを特徴とする請求項１に記載の受診用スカート。
【請求項３】
前記スカート本体は、前記ウエスト部の前側及び後側に平坦部が設けられていることを特徴とする請求項１または２に記載の受診用スカート。
【請求項４】
前記スカート本体は、前記ウエスト部の後側に平坦部が設けられていることを特徴とする請求項１に記載の受診用スカート。
【請求項５】
請求項１〜４のいずれか一項に記載の受診用スカートの製作方法であって、
下半身の腹部側を覆う前布と、臀部側を覆う後布と、前記下半身の両側をそれぞれ覆う一対の横布とを、前記前布及び前記後布の両端側の一部が、前記一対の横布の両端側の一部の外側になるように重ね合わせる工程と、
前記前布と、前記後布と、前記一対の横布とを、ウエスト部にて連結して、ウエスト開口部を有するスカート本体を形成する工程と、
前記ウエスト開口部を拡縮自在にする紐状体を、前記ウエスト部に設ける工程と、を含むことを特徴とする受診用スカートの製作方法。
【発明の詳細な説明】
【技術分野】
【０００１】
本発明は、受診用スカート及び受診用スカートの製作方法に関する。
【背景技術】
【０００２】
医療機関等で、婦人科検診や泌尿器科の診察等を受診する際には、下半身を裸にした状態で受診する必要があり、受診者は緊張感や恥かしさを感じていた。このような精神的負担を解消するため、下半身に着用する受診用スカートが開発されている（例えば、特許文献１、２参照）。特許文献１には、１枚の布を前側で部分的に重ね合わせることで、前側が左右に開く受診用スカートが開示されている。また、特許文献２には、２枚の布を前後で部分的重ね合わせることで、前側だけでなく後側も左右に開く受診用スカートが開示されている。いずれの受診用スカートも、前側の重なり部分の内側に、受診者の局部を被覆する下半身覆い布片が取付けられている。
【０００３】
これらの受診用スカートは、脚を閉じた状態では見た目が一般的なスカートと変わりがなく、着用することで下半身が覆われる。一方、受診の際には受診台で両脚を左右に開くことで受診用スカートの前側が開くが、下半身覆い布片によって局部が隠れる。したがって、医師等が診察を開始するまでは受診者が極力恥ずかしさを感じずに済む。
【０００４】
しかしながら、婦人科検診等を受診すること自体にも精神的負担が大きいため、受診者が緊張のあまり前後を間違えて受診用スカートを着用してしまい、下半身覆い布片で局部を隠せなくなることがあった。また、受診台に乗る際には、受診者は受診用スカートの後ろ側を上方にたくし上げたり、左右に開いたりして臀部を露出し、受診台の椅子の上に座る。そして、受診のために両脚を開く際に、緊張によって受診者の身体が固くなり、受診台から臀部が浮いてしまうことがあり、せっかくたくし上げたり左右に開いたスカートの後側が下がって臀部側に移動し、スカートに汚れ等が付着したり、診察等の処置の邪魔になるおそれもあった。
【先行技術文献】
【特許文献】
【０００５】
【特許文献１】特許第３１４５０７９号公報
【特許文献２】特開２００５−２４０２５６号公報
【発明の概要】
【発明が解決しようとする課題】
【０００６】
本発明は、上記の事情に鑑みて為されたもので、簡易な構成で着脱が容易であり、下半身が人目に触れるのを極力避けることができ、しかも診察等の処置を円滑に行わせることができるようにすることを目的とする。
【課題を解決するための手段】
【０００７】
上記目的を達成するため、本発明の受診用スカートは、下半身を裸にして着用する受診用スカートであって、腹部側を覆う前布と、臀部側を覆う後布と、前記下半身の両側をそれぞれ覆う一対の横布と、から構成されるスカート本体を備え、前記前布と前記後布と前記一対の横布とは、前記前布及び前記後布の両端側が、前記一対の横布の両端側の外側に重ね合された状態で、ウエスト部にて連結され、前記ウエスト部以外では、互いに分離した構成であり、前記ウエスト部は、紐状体によって拡縮自在としたウエスト開口部を有していることを特徴とする。
【発明の効果】
【０００８】
本発明によれば、簡易な構成で着脱が容易であり、下半身が人目に触れるのを極力避けることができ、しかも診察等の処置を円滑に行わせることが可能となる。
【図面の簡単な説明】
【０００９】
【図１】本発明の第１実施形態に係る受診用スカートの外観図である。
【図２】図１に示す受診用スカートの正面図であり、前布の裾をめくった状態を示す。
【図３】図１に示す受診用スカートの使用状態を示す図であって、後布がめくり上げられ、一対の横布が左右に移動した状態で、前布が局部を覆っている状態（実線）と、前布をめくり上げた状態（仮想線）を示す。
【図４】図１に示す受診用スカートに用いるスカート形成用布の展開図と、このスカート形成用布を用いて形成した寸同形状のスカート本体の概略図である。
【図５】本発明の第２実施形態に係る受診用スカートの外観図である。
【図６】本発明の第３実施形態に係る受診用スカートの外観図である。
【図７】図６に示す受診用スカートに用いるスカート形成用布の展開図と、このスカート形成用布を用いて形成した寸同形状のスカート本体の概略図である。
【発明を実施するための形態】
【００１０】
（第１実施形態）
以下、本発明の第１実施形態に係る受診用スカートを、図面を参照しながら説明する。まず、図１の外観図、図２の正面図、図３の使用状況を示す図を用いて、第１実施形態に係る受診用スカート１の構成を説明する。
【００１１】
第１実施形態に係る受診用スカート１は、例えば子宮がん検診、その他の婦人科検診や、産科、婦人科の診察や治療等の各種処置を受ける受診者Ｐが、スラックス等の下衣や下着を脱いで裸にした状態の下半身に身に着けて使用するものである。
【００１２】
図１〜図３に示すように、第１実施形態に係る受診用スカート１は、受診者Ｐの腹部側を覆う前布２と、臀部側を覆う後布３と、下半身の両側をそれぞれ覆う一対の横布４Ａ，４Ｂと、から構成されたスカート本体１０を有している。スカート本体１０の上部には、受診者Ｐの胴体周りに配置するウエスト部５が設けられている。このウエスト部５には、受診者Ｐの胴体を挿入するウエスト開口部６が開口されている。また、スカート本体１０の裾部７側には、受診者Ｐの脚部を突出させる裾側開口部８が開口されている。
【００１３】
また、スカート本体１０では、前布２及び後布３の幅方向の両端側が、一対の横布４Ａ，４Ｂの両端側の外側に所定長さで重ね合されて、積層部１１が設けられている。積層部１１を設けることで、受診用スカート１を着用したときに、各布の間から下半身が不測に露出するのを防ぐことができる。また、スカート本体１０の前後において、一方の横布４Ａと他方の４Ｂとの対向する端縁間に、所定の間隔を介在させることで、横布４Ａ，４Ｂで不必要に局部や臀部が覆われてしまうのを防いでいる。
【００１４】
また、スカート本体１０は、前布２と後布３と一対の横布４Ａ，４Ｂとが積層部１１を介して重ね合わされた状態で、ウエスト部５にて連結されている。スカート本体１０は、ウエスト部５でのみ連結され、ウエスト部５以外では、前布２、後布３及び一対の横布４Ａ，４Ｂとは互いに分離しており、前布２と後布３をそれぞれ独立してめくることができるようになっている。
【００１５】
また、スカート本体１０の上部がウエスト部５で折り返されて、紐状体としてのゴム紐１２を挿通するための折返し部１３が設けられている。この折返し部１３に、ゴム紐１２を挿通することで、ウエスト開口部６が狭まって、ウエスト部５にギャザーが形成される。これにより、ウエスト部５から裾部７に向かって外方に広がるギャザースカート型のスカート本体１０が得られる。また、ゴム紐１２の伸縮性によって、受診者Ｐの胴回り寸法に応じてウエスト開口部６を自在に拡縮することができる。よって、どのような体型の受診者Ｐでも装着することができる、いわゆるフリーサイズの受診用スカート１とすることができる。
【００１６】
また、本実施形態では、ウエスト部５の前側と後側、つまり前布２と後布３の上部にはゴム紐１２を挿通せず、ゴム紐１２によって伸縮しない平坦部１４を設けている。この平坦部１４側では、スカート本体１０にギャザーが形成されず、横布４Ａ，４Ｂの端部が前側中央及び後側中央に移動して局部等を不必要に覆ってしまうのを防止している。
【００１７】
また、本実施形態では、前布２、後布３、及び一対の横布４Ａ，４Ｂの裾部７側の角部を面取りして曲線形状（円弧状）としている。そのため、より女性らしい柔らかな印象のデザインとすることができるとともに、前布２や後布３をめくり上げるときに、両側がひらひらしたり垂れたりすることがなく、より扱い易い製品とすることができる。
【００１８】
スカート本体１０の丈の長さ、つまり、前布２、後布３及び一対の横布４Ａ，４Ｂの長さとしては、特に限定されることはない。一般的なスカートと同様の長さとすればよく、膝上丈、膝丈、膝下丈など、いずれの長さであってもよい。ただし、短すぎると屈んだときなどに臀部等が露出することがあり、長すぎると歩行や診察の邪魔となることがあるため、下半身が不必要に露出することがなく、かつ動作し易い長さとする。
【００１９】
また、スカート本体１０の横幅やウエスト開口部６の大きさ等、各種サイズも、特に限定されることはなく、ウエスト開口部６を調整できる一般的なスカートに対応したサイズとすることができる。また、より様々な体型の受診者Ｐの着用や、泌尿器科等での男性の着用等も可能とし、現場での様々な要求に対応できるように、Ｓ，Ｍ，Ｌ，ＬＬ，・・・等、様々なサイズの受診用スカート１を製作してもよい。
【００２０】
また、平坦部１４の幅方向の長さは、特に限定されないが、スカート本体１０のウエスト部５の前側の長さ又は後側の長さ（前後対称の場合、ゴム紐１２で絞らない状態のウエスト開口部６の全周の１／２の長さ）の１／６〜１／４程度とするのが望ましい。より具体的には、例えば、フリーサイズの製品の場合は、ウエスト開口部６の全周を１２６ｃｍ（その１／２は６３ｃｍ）とした場合、１０ｃｍ〜１５ｃｍ程度とすることが望ましく、１０ｃｍ程度がより望ましい。
【００２１】
受診用スカート１の材料、つまり前布２、後布３、横布４Ａ，４Ｂの材料としては、特に限定されることはなく、使用目的やコスト等を考慮して、適宜の材料を用いることができるが、肌が透けない材料が望ましい。具体的には、例えば、ポリエステル等の化学繊維製の布が好適で、その中でもポリエステルニット等の化学繊維のニット生地等がより好適である。このような材料を用いることで、肌が透けにくく、肌触りや着心地がよく、洗濯等が容易で、汚れ落ちもよく、速乾性に優れ、しわにもなりにくい製品を得ることができる。
【００２２】
また、受診用スカート１の材料として、木綿、絹、ウールなどの天然素材の布を用いてもよく、肌触りなど、優れた使用感が得られるとともに、製品に高級感を持たせることや、夏は薄手の布を用い、冬は厚手の布を用いるなど、季節に合わせた製品とすることなどもできる。また、不織布等を用いてもよく、より低コストで製作できるとともに、手軽に使い捨てのできる製品を提供することができる。また、これらの材料に、防汚加工や撥水加工を施してもよく、コストは多少上がるが、汚れが付着しにくく、汚れ落ち効果にも優れる製品を提供することができる。
【００２３】
受診用スカート１の色としては、特に限定されることはないが、血液等の体液や汚れが付着しても目立たないように、濃い色合いとすることが望ましい。例えば、ローズピンク等の濃いピンク、えんじ、ワインレッドなど、濃い赤系の色であれば、汚れが目立たたず、より女性らしい印象で、肌がより透けにくい製品が得られる。または紺色等の青系、茶系、黒系の色であれば、汚れが目立たず、よりクールな印象の製品が得られる。勿論、ユーザの好みや流行等に応じて、緑系や黄系等、他の色にすることもできる。また、透けにくい材料であれば、ベージュや白でもよいし、淡いピンクやブルー等の淡色としてもよく、より柔らかで清潔な印象を与えて、受診者Ｐの緊張感を和らげることができる。また、無地に限定されることもなく、柄物であってもよい。また、様々な色の受診用スカート１を用意すれば、病院等のイメージに合った製品を選択したり、受診者Ｐが好みに応じて選択したりすることもでき、より嗜好性に優れた製品が得られる。
【００２４】
以上説明したように、第１実施形態の受診用スカート１は、前布２及び後布３の両端側が、一対の横布４Ａ，４Ｂの両端側の外側に重ね合された状態で、ウエスト部５にて連結されただけの簡易な構成とすることができる。また、ウエスト開口部６が拡縮自在であるため、ウエスト開口部６から両脚を挿入し、ウエスト開口部６を拡げながら受診用スカート１を上方に移動させることで、容易に着用することができる。または、裾側開口部８から受診用スカート１内に頭部を挿入し、ウエスト開口部６を拡げながらスカート本体１０を下方に移動させることによっても、容易に着用することができる。また、いずれの体型の受診者Ｐでも着用可能で、汎用性にも優れている。
【００２５】
なお、受診用スカート１を着用する前に下衣や下着を脱いでもよいが、受診用スカート１を着用した後に、下着等を脱ぐこともでき、恥かしさ等をより感じにくくなる。また、本実施形態の受診用スカート１は、前後左右対称であるため、受診者Ｐは前後を気にすることなく、より手軽に着用することができる。
【００２６】
そして、受診用スカート１を着用した状態では、図１に示すように、見た目が一般的なスカートと変わりがなく、スカート本体１０によって下半身が覆われる。また、受診者Ｐが受診用スカート１を着用した状態で、歩行等した場合でも、積層部１１を設けたことで、前布２及び後布３と、一対の横布４Ａ，４Ｂとの間から、下半身が不測に露出することがない。そのため、受診者Ｐは、恥かしさを極力感じることなく受診準備や受診台への移動等を行うことができる。また、前布２と後布３が横布４Ａ，４Ｂと分離しているため、受診用スカート１を着用した状態で、不用意に両脚を横に開いて横布４Ａ，４Ｂがずれたときでも、前布４Ａ，４Ｂで局部や臀部が覆われ、不測の露出を防止できる。
【００２７】
受診者Ｐが受診台に座るときには、図３に示すように後布３をめくり上げると、臀部が露出し、受診台に敷いた使い捨てシート等の上に直に座ることができる。また、一方の横布４Ａの端部と他方の横布４Ｂ端部との間に、所定の間隔を介在させ、かつウエスト部５の後側に平坦部１４を設けているため、横布４Ａ，４Ｂが臀部の下に敷かれるのを防ぐことができる。そして、めくり上げた後布３を腰や背中と受診台の背もたれとの間に挟んで固定する。したがって、受診者Ｐが緊張のあまり受診台から臀部を浮かせた場合でも、後布３や横布４Ａ，４Ｂが臀部側に垂れ下がることがなく、後布３が診察の邪魔になったり、汚れたりするのを防ぐことができるとともに、医師等も、受診用スカート１を気にすることなく円滑に処置を行うことができる。
【００２８】
また、ウエスト開口部６が拡縮自在であるから、めくり上げた後布３をウエスト部５に容易に挟むこともでき、後布３の垂れ下がりをより抑制することができる。また、平坦部１４を設けたことで、受診者Ｐが背もたれ等に腰を密着させても、ギャザーの凹凸による違和感がなく、肌にギャザー跡などもできにくい。そのため、受診者Ｐはより快適に受診することができる。
【００２９】
また、受診の際に両脚を横に開いたときでも、図３に示すように、前布２が垂れた状態で局部を覆っているため、受診の直前まで受診者Ｐが恥かしさを極力感じることがない。実際に処置を行うときには、図３に点線で示すように、医者等が前布２をめくることで、一対の横布４Ａ，４Ｂの間から局部が露出する。前布２は、横方向に折り畳んだり、ウエスト部５に挟んで固定したりすることで、処置中に垂れ下がるのを防ぐことができる。そのため、前布２に邪魔されることなく、医師等が処置を円滑に行うことができる。
【００３０】
さらに、前布２をめくっても、一対の横布４Ａ,４Ｂが共にめくれることがなく、一対の横布４Ａ,４Ｂによって受診者Ｐの両側の大腿部が覆われるので、局部以外の下半身の露出を極力少なくすることができる。そのため、受診者Ｐの精神的な負担をより軽減することができるとともに、防寒や肌の汚れ防止等にも寄与することができる。以上のことから、本実施形態の受診用スカート１は、下半身の処置、特に子宮がん検診、その他の婦人科検診や、産科、婦人科の診察や治療に好適に用いることができる。
【００３１】
次に、第１実施形態に係る受診用スカート１の制作方法を、図４を参照しながら説明する。まず、図４の紙面上図に示すように、スカート形成用の布を裁断して、前布２、後布３、一対の横布４Ａ,４Ｂを得る。前布２、後布３、一対の横布４Ａ,４Ｂの中央に示した破線は各布の中心線ｌを示し、両側に示した一点鎖線は積層部１１の中心線ｍを示す。また、上部に示した破線は、前布２、後布３、一対の横布４Ａ,４Ｂを連結するときの縫い目ｎを示す。また、ウエスト部５の前後の中央に示した破線ｏは、平坦部１４の位置を示す。本実施形態では、前後左右対称の受診用スカート１を作成するため、前布２と後布３は同寸法、同形状とし、一対の横布４Ａ，４Ｂも同寸法、同形状であって、中心線ｌを挟んで前後も対称としている。そのため、型紙が簡易で裁断も容易となる。
【００３２】
次に、前布２と、後布３と、一対の横布４Ａ，４Ｂとを、前布２及び後布３の両端側の一部が、一対の横布４Ａ，４Ｂの両端側の一部の外側に重なるように配置する。このとき、各布の中心線ｍが一致するように互いを重ねて、４つの積層部１１を形成する（図４の紙面下図参照）。
【００３３】
次に、縫い目ｎに沿ってミシンを掛けて、前布２と、後布３と、一対の横布４とを、ウエスト部５にて連結する。これにより、図４の紙面下図のようなウエスト開口部６と裾側開口部８とを有する寸胴形状のスカート本体１０が得られる。この寸胴形状のスカート本体１０では、ウエスト開口部６と裾側開口部８とは略同一寸法になっている。
【００３４】
そして、寸胴形状のスカート本体１０の上部を折り返して形成した折返し部１３にゴム紐１２を挿通し、ウエスト開口部６を裾側開口部８よりも狭めることで、図１に示すようなギャザースカート型の受診用スカート１を製作することができる。
【００３５】
なお、折返し部１３にゴム紐１２を挿通するときには、破線で示したｏ−ｏ間にゴム紐１２を挿通しないことで、平坦部１４を形成する。または、折返し部１３全周にゴム紐１２を挿通し、ｏの位置でゴム紐１２を縫い止めて、ｏ−ｏ間でゴム紐１２が伸縮しないようにして、平坦部１４を形成してもよい。
【００３６】
以上、第１実施形態に係る受診用スカート１の製作方法は、要するに、前布２及び後布３が一対の横布４Ａ，４Ｂの外側になるように一部を互いに重ねて、ウエスト部５で連結し、ウエスト部５にゴム紐１２などの紐状体を設けてウエスト開口部６を拡縮自在にすればよく、製作方法をより簡易化することができる。このような簡易な製作方法によって、簡易な構成で着脱が容易であり、下半身が人目に触れるのを極力避けることができ、診察等の処置の妨げになることがなく、処置を円滑に行わせることができる受診用スカート１を効率的かつ低コストに製作することができる。
【００３７】
（第２実施形態）
次に、本発明の第２実施形態について、図５を参照しながら説明する。図５は、第２実施形態に係る受診用スカート１Ａの外観図である。この受診用スカート１Ａは、平坦部１４を後布３側のみに設けたこと以外は、第１実施形態に係る受診用スカート１と同様の基本構成を有している。そのため、第１実施形態と同じ構成には同じ符号を付して、詳細な説明は省略する。以降の実施形態でも同様である。
【００３８】
第２実施形態のように、平坦部１４を後布３側のみに設けた構成とすることで、受診用スカート１Ａの前後を識別することができる。例えば、腹部よりも大きく突き出た臀部側をより確実に被覆するため、後布３を前布２よりも広幅に形成した場合等に好適である。第２実施形態の受診用スカート１Ａでも、簡易な構成で着脱が容易であり、下半身が人目に触れるのを極力避けることができ、診察等の処置の妨げになることがなく、処置を円滑に行わせることができる受診用スカート１Ａ及び製作方法を提供することができる。
【００３９】
しかも、後布３側のみに平坦部１４を設けたことで、前後を容易に識別して着用することができるとともに、受診台に横たわっても、ギャザーによる違和感を与えたり、ギャザー跡等がついたりするのを防止することができる。また、前後の区別はあるが、第２実施形態の受診用スカート１Ａも、前布２と後布３とをそれぞれ独立してめくることができる構成であるため、受診者Ｐが前後逆に着用した場合でも、処置箇所の位置に応じて前布２又は後布３をめくることで、処置を円滑に行うことができる。
【００４０】
また、第２実施形態では、図５に示すように、前布２にリボンで目印１５を設けることで、受診者Ｐが前後をより間違えにくくするとともに、ファッション性も向上させている。なお、目印１５は、リボンに限定されることはなく、ボタン、プリント、刺繍などであってもよいし、前側を示す文字や記号、マークなどであってもよい。
【００４１】
（第３実施形態）
次に、本発明の第３実施形態について、図６、図７を参照しながら説明する。図６は、第３実施形態に係る受診用スカート１Ｂの外観図であり、図７は、この受診用スカート１Ｂの製作方法を説明するための図である。
【００４２】
図６、図７に示すように、第３実施形態に係る受診用スカート１Ｂは、前布２、後布３、一対の横布４Ａ，４Ｂを矩形状として、裾部７側を直線的としていること以外は、第１実施形態の受診用スカート１と同様の基本構成を備えている。したがって、第１実施形態と同様の作用効果が得られるとともに、より簡易な構成の受診用スカート１Ｂを得ることができる。
【００４３】
また、受診用スカート１Ｂの製作方法も、図７に示すように前布２、後布３、一対の横布４Ａ，４Ｂが矩形状であること以外は、第１実施形態の製作方法と同様の作用効果が得られる。しかも、スカート形成用の布を直線的に裁断して縫うだけなので、より簡易に受診用スカート１Ｂを製作することができ、生産性をより向上させることができる。
【００４４】
（実施例）
本発明の具体的な実施例を説明する。この実施例では、図１等に示す第１実施形態と同様の構成で、下記の生地材料を用いて第１実施形態と同様の制作方法によって、実施例の受診用スカート１を製作した。ウエスト周りには、ゴム紐１２を挿通した。ゴム紐１２を挿通した後のウエスト開口部６の長さを約７０ｃｍとし、平坦部１４の幅方向の長さを約１０ｃｍとした。
生地商品名：Ｆ６１５０  ウィールディ（ＷＩＥＬＤＹ）
生地色見本７番（濃いピンク）の生地を使用
素材        ：ポリエステル１００％
機能        ：帯電防止加工
取扱い方法  ：洗濯機使用可能、ドライクリーニング（石油系）可能
【００４５】
以上のような生地材料を用いて、第１実施形態と同様の製作方法によって受診用スカート１を製作した。この実施例の受診用スカート１では、下着等を脱いだ裸の状態の下半身に身に着けたときに、肌が透けにくく、肌にまとわりつかずにさらっとして柔らかく、優れた肌触りが得られた。また、濃いピンク色であるため、血液等の汚れが付着しても目立たず、受診者Ｐの安心感をより向上させることができるとともに、女性らしい色合いによって受診者Ｐの気持ちを和らげ、緊張感を低減することができた。
【００４６】
また、丈夫でしわになりにくく、洗濯も容易で汚れ落ちや乾きも良好であり、アイロンがけ等も不要で、扱い易かった。したがって、使い捨てをすることなく、洗濯して何度でも再使用することができ、しかも耐久性にも優れ、経済性にも優れた製品が得られた。
【００４７】
また、第２、第３実施形態に係る受診用スカートも、実施例と同様の生地で製作することで、同様の作用効果を得ることができる。なお、受診用スカートの生地や色が実施例のものに限定されることはなく、他の生地や色で製作することができる。
【００４８】
以上、図面を参照して、本発明の実施形態及び実施例を詳述してきたが、具体的な構成は、これらの実施形態及び実施例に限らず、本発明の要旨を逸脱しない程度の設計的変更は、本発明に含まれる。
【００４９】
例えば、上記実施形態及び実施例では、スカート本体１０の上部を折り返して折返し部１３を形成しているが、これに限定されることはない。別途裁断したベルト状の布をスカート本体１０の上部に取付けて、折返し部１３を形成してもよい。また、折返し部１３全周に紐部材を挿通し、前後に平坦部１４を設けずにスカート本体１０を形成し、ウエスト開口部６全体を拡縮できるものとしてもよく、構成や製作方法をより簡素化することができる。また、スカート本体１０の裾部７や外周縁に、フリル等を設けてもよく、より女性らしく、ファッション性にも優れた製品とすることができる。
【００５０】
また、上記では、紐状体としてゴム紐１２を使用しているが、これに限定されることはなく、平ゴム等の他のゴムを使用してもよい。または、紐状体として伸縮しない紐やリボン、ベルト等を使用し、これらの紐状体でウエスト周りを絞ることで、ウエスト開口部６の大きさを調整してもよい。また、ファスナー、ボタン、スナップなどを用いてウエスト開口部６を拡縮することもできる。
【００５１】
また、上記では、受診用スカート１，１Ａ，１Ｂを婦人科の受診に適用した例を説明したが、婦人科の受診以外にも好適に用いることができる。例えば、大腸がん、前立腺肥大、前立腺がん、膀胱がん、痔等の泌尿器科系や消化器科系の下半身の様々な病気の検査、診察、治療等を受けるときにも好適に用いることができる。すなわち、受診前は受診用スカート１，１Ａ，１Ｂを着用することで、下半身を隠すことができる。一方、受診時には、医師等が前布２又は後布３をめくることで、治療箇所のみを露出して処置することができる。そのため、受診者Ｐの精神的負担を軽減しつつ、処置を円滑に行うことができる。
【００５２】
また、介護現場での使用にも好適であり、受診用スカート１，１Ａ，１Ｂを被介護者に着用させることで、下半身が人目に触れるのを極力避けることができ、被介護者の精神的負担を低減することができる。介護者は前布２や後布３をめくりながら、排泄介助や清拭介助等の処置を容易かつ円滑に行うことができる。同様の理由により、マッサージや脱毛等のエステティック施術等の処置を受ける際にも好適に用いることができる。
【符号の説明】
【００５３】
１，１Ａ，１Ｂ  受診用スカート    ２  前布    ３  後布    ４Ａ，４Ｂ  横布
５  ウエスト部    ６  ウエスト開口部    ７  裾部    ８  裾側開口部
１０  スカート本体    １１  積層部    １２  ゴム紐（紐状体）    １３  折返し部
１４  平坦部    １５  目印    ｌ  布の中心線    ｍ  積層部の中心線
ｎ  縫い目    ｏ  平坦部の位置    Ｐ  受診者
【図１】
2019023364.tif 000003
【図２】
2019023364.tif 000004
【図３】
2019023364.tif 000005
【図４】
2019023364.tif 000006
【図５】
2019023364.tif 000007
【図６】
2019023364.tif 000008
【図７】
2019023364.tif 000009